【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
ベース部材と、
前記ベース部材に固定されるトップカバーと、
前記ベース部材と前記トップカバーとの間で回転するハブと、
前記ハブと一体に回転する軸受体と、
前記軸受体に相対回転自在に収納されるシャフトと、前記軸受体の第１の端面と隙間を介した位置に前記シャフトに固定される第１のフランジと、前記軸受体の第２の端面と隙間を介して対向する対向面を有する第２のフランジと、前記第２のフランジに固定的に設けられ、前記軸受体の外周の少なくとも一部を包囲する第２の環状部材と、を含み、一端側が前記トップカバーに固定的に設けられ、他端側が前記ベース部材に設けた孔部に固定される軸体と、
前記ハブと一体に回転し、前記第１のフランジの外周を包囲する第１の環状部材と、
前記第１のフランジと前記軸受体の第１の端面の相互に対向する面の少なくとも何れかに設けた第１のスラスト動圧溝と、
前記第２のフランジと前記軸受体の第２の端面の相互に対向する面の少なくとも何れかに設けた第２のスラスト動圧溝と、
前記第１の環状部材と前記第１のフランジとの隙間に開放側に向かって隙間が拡大するように形成した第１のキャピラリーシールと、
前記第２の環状部材と前記軸受体との隙間に開放側に向かって隙間が拡大するように形成した第２のキャピラリーシールと、
前記ラジアル動圧溝と前記第１及び第２のスラスト動圧溝と前記第１及び第２のキャピラリーシールに充填した潤滑剤と、
前記ハブに固定的に設けられるマグネットと、
前記ベース部材に軸方向で前記ハブ側に突出して前記第２の環状部材とは別に設けられる環状壁部と、
前記環状壁部の外周に固定され前記マグネットと半径方向に対向するステータコアと、
を備え、
前記トップカバーは前記ベース部材に前記ハブを環囲するように設けられた周環壁部に固定され、
前記第２の環状部材と前記軸受体との前記隙間は、前記第２のフランジから前記第１のフランジに向かって開口していることを特徴とするディスク駆動装置。
【請求項２】
前記トップカバーは、軸方向に貫通するカバー孔と当該カバー孔を囲む領域が軸方向で前記シャフト側に突出するカバー凹部とを有し、
前記トップカバーは、留め具が前記カバー孔を貫通して前記シャフトの端面に軸方向に設けられたシャフト孔の中に嵌め込まれることによって固定され、
前記留め具は少なくとも一部が前記カバー凹部に収納されることを特徴とする請求項１に記載したディスク駆動装置。
【請求項３】
前記トップカバーはアルミニウム板または鉄鋼板から形成されて、前記カバー凹部はプレス加工された型押し面を有することを特徴とする請求項２に記載したディスク駆動装置。
【請求項４】
前記トップカバーの前記カバー凹部は前記シャフトに接することを特徴とする請求項２または３に記載したディスク駆動装置。
【請求項５】
軸方向において前記トップカバーと前記第１のフランジの間に位置して前記第１のキャピラリーシールの径方向内側に張り出すように前記ハブに固定的に設けられるカバー部材を設けたことを特徴とする請求項１から４のいずれかに記載したディスク駆動装置。
【請求項６】
前記カバー部材は前記ハブと一体に設けたことを特徴とする請求項５に記載したディスク駆動装置。
【請求項７】
前記ベース部材は、前記ハブの前記ベース部材に近い側の外周面の一部を環囲するハブ環囲壁を有することを特徴とする請求項１から６のいずれかに記載したディスク駆動装置。
【請求項８】
前記軸受体は、前記第１の端面に設けた第１の開口と前記第２の端面に設けた第２の開口とを貫通する前記潤滑剤の連通路を有し、
前記第１の開口は前記第１のフランジの外周面より半径方向内側に位置し、
前記第２の開口は前記第２の環状部材の内周面より半径方向内側に位置することを特徴とする請求項１から７のいずれかに記載したディスク駆動装置。
【請求項９】
前記軸受体の外周に縮径部を設け、前記第２のキャピラリーシールは前記縮径部の外周を含んで構成され、前記軸受体の第２の環状部材側の端面の外周の直径は前記縮径部の直径より大きいことを特徴とする請求項１から７のいずれかに記載したディスク駆動装置。
【請求項１０】
前記第２のキャピラリーシールの容量は前記第１のキャピラリーシールの容量の７０〜１３０％としたことを特徴とする請求項１から９のいずれかに記載したディスク駆動装置。
【請求項１１】
前記潤滑剤が減少した場合に、前記第１のキャピラリーシール内における開放端面から前記潤滑剤の液面までの距離の変化量は前記第２のキャピラリーシール内における開放端面から前記潤滑剤の液面までの距離の変化量と実質的に等しいことを特徴とする請求項１から１０のいずれかに記載したディスク駆動装置。
【請求項１２】
前記第２のフランジと前記第２の環状部材とはステンレス鋼板から一体に形成されてプレス加工された型押し面を有することを特徴とする請求項１から１１のいずれかに記載したディスク駆動装置。
【請求項１３】
前記ハブと前記ベース部材の軸方向の空間にコイルを備え、前記ハブの前記コイルと軸方向に対向する部分の軸方向寸法は、前記ベース部材の前記コイルと軸方向に対向する部分の軸方向寸法より厚くしたことを特徴とする請求項１から１２のいずれかに記載したディスク駆動装置。
【請求項１４】
少なくとも前記第１の環状部材の内周側壁と第２の環状部材の内周側壁の何れかは内向きに傾斜することを特徴とする請求項１から１３のいずれかに記載したディスク駆動装置。
【請求項１５】
ベース部材と、
前記ベース部材に固定されるトップカバーと、
前記ベース部材と前記トップカバーとの間で回転するハブと、
前記ハブと一体に回転する軸受体と、
前記軸受体に相対回転自在に収納されるシャフトと、前記軸受体の第１の端面と隙間を介した位置に前記シャフトに固定される第１のフランジと、前記軸受体の第２の端面と隙間を介して対向する対向面を有する第２のフランジと、前記第２のフランジに固定的に設けられ、前記軸受体の外周の少なくとも一部を包囲する第２の環状部材と、を含み、一端側が前記トップカバーに固定的に設けられ、他端側が前記ベース部材に設けた孔部に固定される軸体と、
前記ハブと一体に回転し、前記第１のフランジの外周を包囲する第１の環状部材と、
前記第１のフランジと前記軸受体の第１の端面の相互に対向する面の少なくとも何れかに設けた第１のスラスト動圧溝と、
前記第２のフランジと前記軸受体の第２の端面の相互に対向する面の少なくとも何れかに設けた第２のスラスト動圧溝と、
前記第１の環状部材と前記第１のフランジとの隙間に開放側に向かって隙間が拡大するように形成した第１のキャピラリーシールと、
前記第２の環状部材と前記軸受体との隙間に開放側に向かって隙間が拡大するように形成した第２のキャピラリーシールと、
前記ラジアル動圧溝と前記第１及び第２のスラスト動圧溝と前記第１及び第２のキャピラリーシールに充填した潤滑剤と、
を備え、
前記トップカバーは前記ベース部材に前記ハブを環囲するように設けられた周環壁部に固定され、
前記トップカバーは、軸方向に貫通するカバー孔と当該カバー孔を囲む領域が軸方向で前記シャフト側に突出するカバー凹部とを有し、
前記トップカバーは、留め具が前記カバー孔を貫通して前記シャフトの端面に軸方向に設けられたシャフト孔の中に嵌め込まれることによって固定され、
前記留め具は少なくとも一部が前記カバー凹部に収納され、
前記第２の環状部材と前記軸受体との前記隙間は、前記第２のフランジから前記第１のフランジに向かって開口していることを特徴とするディスク駆動装置。
【請求項１６】
請求項１から１５のいずれかに記載したディスク駆動装置の製造方法であって、
少なくとも、前記ハブと、前記軸受体と、前記シャフトと、前記第１のフランジと、前記第２のフランジと、前記第１の環状部材と、前記第２の環状部材と、を組み付けてサブアッセンブリを組み立てる工程と、
前記サブアッセンブリの端部と前記ベース部材の前記孔部の何れかに接着剤を塗布する工程と、
前記サブアッセンブリの前記端部を前記ベース部材の前記孔部に挿入する工程と、
前記サブアッセンブリの前記端部と前記ベース部材の前記孔部との隙間からはみ出した前記接着剤に紫外線を照射する工程と、
を含むことを特徴とするディスク駆動装置の製造方法。
【請求項１７】
前記接着剤中の揮発成分を低減する工程と、
前記ハブと前記ベース部材の導通を確認する工程と、
前記ハブを回転させながら前記ハブの記録ディスクが載置される載置部の軸方向振れを確認する工程と、
前記ハブの静止時と回転時とにおける前記ハブの軸方向高さの差を確認する工程と、
を含むことを特徴とする請求項１５に記載したディスク駆動装置の製造方法。
【手続補正２】
【補正対象書類名】明細書
【補正対象項目名】発明の名称
【補正方法】変更
【補正の内容】
【発明の名称】ディスク駆動装置及びディスク駆動装置の製造方法
【手続補正３】
【補正対象書類名】明細書
【補正対象項目名】０００６
【補正方法】変更
【補正の内容】
【０００６】
本発明はこうした状況に鑑みなされたものであり、その目的は、シャフトの振動を低減することによって磁気ヘッドの振動を改善することで高速化に適したディスク駆動装置及びその製造方法を提供することにある。
【手続補正４】
【補正対象書類名】明細書
【補正対象項目名】０００７
【補正方法】変更
【補正の内容】
【０００７】
上記課題を解決するために、本発明のある態様のディスク駆動装置は、ベース部材と、ベース部材に固定されるトップカバーと、ベース部材とトップカバーとの間で回転するハブと、ハブと一体に回転する軸受体と、軸受体に相対回転自在に収納されるシャフトと、軸受体の第１の端面と隙間を介した位置にシャフトに固定される第１のフランジと、軸受体の第２の端面と隙間を介して対向する対向面を有する第２のフランジと、第２のフランジに固定的に設けられ、軸受体の外周の少なくとも一部を包囲する第２の環状部材と、を含み、一端側がトップカバーに固定的に設けられ、他端側がベース部材に設けた孔部に固定される軸体と、ハブと一体に回転し、第１のフランジの外周を包囲する第１の環状部材と、第１のフランジと軸受体の第１の端面の相互に対向する面の少なくとも何れかに設けた第１のスラスト動圧溝と、第２のフランジと軸受体の第２の端面の相互に対向する面の少なくとも何れかに設けた第２のスラスト動圧溝と、第１の環状部材と第１のフランジとの隙間に開放側に向かって隙間が拡大するように形成した第１のキャピラリーシールと、第２の環状部材と軸受体との隙間に開放側に向かって隙間が拡大するように形成した第２のキャピラリーシールと、ラジアル動圧溝と第１及び第２のスラスト動圧溝と第１及び第２のキャピラリーシールに充填した潤滑剤と、ハブに固定的に設けられるマグネットと、ベース部材に軸方向でハブ側に突出して第２の環状部材とは別に設けられる環状壁部と、環状壁部の外周に固定されマグネットと半径方向に対向するステータコアと、を備えている。そして、トップカバーはベース部材にハブを環囲するように設けられた周環壁部に固定され、第２の環状部材と軸受体との隙間は、第２のフランジから第１のフランジに向かって開口している。
【手続補正５】
【補正対象書類名】明細書
【補正対象項目名】０００８
【補正方法】変更
【補正の内容】
【０００８】
この態様によると、ハブと一体に回転する軸受体を相対回転自在に支持する軸体の両端をトップカバーとベース部材とに固定することができる。
【手続補正６】
【補正対象書類名】明細書
【補正対象項目名】０００９
【補正方法】変更
【補正の内容】
【０００９】
本発明の第２の態様もディスク駆動装置である。このディスク駆動装置は、ベース部材と、ベース部材に固定されるトップカバーと、ベース部材とトップカバーとの間で回転するハブと、ハブと一体に回転する軸受体と、軸受体に相対回転自在に収納されるシャフトと、軸受体の第１の端面と隙間を介した位置にシャフトに固定される第１のフランジと、軸受体の第２の端面と隙間を介して対向する対向面を有する第２のフランジと、第２のフランジに固定的に設けられ、軸受体の外周の少なくとも一部を包囲する第２の環状部材と、を含み、一端側がトップカバーに固定的に設けられ、他端側がベース部材に設けた孔部に固定される軸体と、ハブと一体に回転し、第１のフランジの外周を包囲する第１の環状部材と、第１のフランジと軸受体の第１の端面の相互に対向する面の少なくとも何れかに設けた第１のスラスト動圧溝と、第２のフランジと軸受体の第２の端面の相互に対向する面の少なくとも何れかに設けた第２のスラスト動圧溝と、第１の環状部材と第１のフランジとの隙間に開放側に向かって隙間が拡大するように形成した第１のキャピラリーシールと、第２の環状部材と軸受体との隙間に開放側に向かって隙間が拡大するように形成した第２のキャピラリーシールと、ラジアル動圧溝と第１及び第２のスラスト動圧溝と第１及び第２のキャピラリーシールに充填した潤滑剤と、を備えている。そして、トップカバーはベース部材にハブを環囲するように設けられた周環壁部に固定され、トップカバーは、軸方向に貫通するカバー孔と当該カバー孔を囲む領域が軸方向でシャフト側に突出するカバー凹部とを有し、トップカバーは、留め具がカバー孔を貫通してシャフトの端面に軸方向に設けられたシャフト孔の中に嵌め込まれることによって固定され、留め具は少なくとも一部がカバー凹部に収納され、第２の環状部材と軸受体との隙間は、第２のフランジから第１のフランジに向かって開口している。
【手続補正７】
【補正対象書類名】明細書
【補正対象項目名】００１０
【補正方法】変更
【補正の内容】
【００１０】
この態様によると、トップカバーはシャフト側に突出するカバー凹部を有するから、トップカバーを軸体に固定する留め具の少なくとも一部をカバー凹部に収納したディスク駆動装置を提供することができる。
【手続補正８】
【補正対象書類名】明細書
【補正対象項目名】００１１
【補正方法】変更
【補正の内容】
【００１１】
本発明のさらに第３の態様は、ディスク駆動装置の製造方法である。このディスク駆動装置の製造方法は、第１の態様および第２の態様に係るディスク駆動装置の製造方法であって、少なくとも、ハブと、軸受体と、シャフトと、第１のフランジと、第２のフランジと、第１の環状部材と、第２の環状部材と、を組み付けてサブアッセンブリを組み立てる工程と、サブアッセンブリの端部とベース部材の孔部の何れかに接着剤を塗布する工程と、サブアッセンブリの端部をベース部材の孔部に挿入する工程と、サブアッセンブリの端部とベース部材の孔部との隙間からはみ出した接着剤に紫外線を照射する工程と、を含んでいる。
【手続補正９】
【補正対象書類名】明細書
【補正対象項目名】００１２
【補正方法】変更
【補正の内容】
【００１２】
この態様によると、サブアッセンブリの端部とベース部材の孔部との隙間からはみ出た接着剤が、組立の際に治具や工具に付着して他のディスク駆動装置に転写する課題を軽減することができる。
【手続補正１０】
【補正対象書類名】明細書
【補正対象項目名】００１４
【補正方法】変更
【補正の内容】
【００１４】
本発明によれば、シャフトの両端をベース部材とトップカバーとで固定的に支持するから、シャフトの振動は低減され、磁気ヘッドの記録トラックのトレースの乱れが改善されて高速化に適したディスク駆動装置及びその製造方法を提供することができる。
【手続補正１１】
【補正対象書類名】図面
【補正対象項目名】図１
【補正方法】変更
【補正の内容】
【図１】
2010261580.tif 000001
【手続補正１２】
【補正対象書類名】図面
【補正対象項目名】図２
【補正方法】変更
【補正の内容】
【図２】
2010261580.tif 000002
【手続補正１３】
【補正対象書類名】図面
【補正対象項目名】図３
【補正方法】変更
【補正の内容】
【図３】
2010261580.tif 000003
【手続補正１４】
【補正対象書類名】図面
【補正対象項目名】図４
【補正方法】変更
【補正の内容】
【図４】
2010261580.tif 000004
【手続補正１５】
【補正対象書類名】図面
【補正対象項目名】図５
【補正方法】変更
【補正の内容】
【図５】
2010261580.tif 000005